(57)【要約】【課題】断熱材と防湿シートの施工を容易にすることができる、防湿断熱材及びそれを用いた防湿断熱構造を提供する。【解決手段】断熱用発泡樹脂成形体１１が防湿シート１２に袋入り状態にされている防湿断熱材４を用いる。発泡樹脂成形体１１には、これを複数に分割するための切込み１６が入れられ、切込み１６で分割した分割発泡樹脂成形体を袋入り状態のまま防湿シート１２を連れるようにして互いに偏心させることができるようになされているのもよい。また、複数の防湿断熱材４，４を、防湿シート１２部分を介在させて突き合わせ状態となるように設置するのもよい。【選択図】      図１
2006017185.tif 000002
【特許請求の範囲】
【請求項１】
断熱用発泡樹脂成形体が防湿シートに袋入り状態にされていることを特徴とする防湿断熱材。
【請求項２】
前記発泡樹脂成形体に、該発泡樹脂成形体を複数に分割するための切込みが入れられ、切込みで分割した分割発泡樹脂成形体を袋入り状態のまま防湿シートを連れるようにして互いに偏心させることができるようになされている請求項１に記載の防湿断熱材。
【請求項３】
請求項１又は２に記載の防湿断熱材における防湿シート内の発泡樹脂成形体が複数に分割され、分割発泡樹脂成形体が袋入り状態のまま防湿シートを連れるようにして互いに偏心して設置されていることを特徴とする防湿断熱構造。
【請求項４】
内装用壁面材の下地となる桟材が所定の間隔をおいて平行に設置され、請求項１又は２に記載の防湿断熱材が、該桟材間に設置されて、桟材間を防湿状態に断熱していることを特徴とする防湿断熱構造。
【請求項５】
請求項１又は２に記載の複数の防湿断熱材が、防湿シート部分を介在させて突き合わせ状態となるように設置されていることを特徴とする防湿断熱構造。
【発明の詳細な説明】
【技術分野】
【０００１】
本発明は、防湿断熱材及びそれを用いた防湿断熱構造を提供することを課題とする。
【背景技術】
【０００２】
例えば鉄骨軸組住宅用の建物では、柱部分を通じたヒートブリッジによってその部分に結露を生じることがあることから、それを防ぐ目的で、柱の内部や、屋内側の柱に面する部分、即ち内装用壁面材の下地となる縦桟材間に繊維系の断熱材を入れ、屋内側から防湿シートを貼り付けることが従来より行われている。
【発明の開示】
【発明が解決しようとする課題】
【０００３】
しかしながら、繊維系断熱材を縦桟材間に設置した後に防湿シートを貼り付けるのでは、繊維系断熱材の設置作業と、防湿シートの貼付け作業の２つ工程が必要となり、これらの施工に手間を要するという問題がある。のみならず、断熱材が繊維系断熱材である場合は、設置した断熱材が倒れ込んだり、下がったりしないように配慮して施工を進めなければならず、また、防湿シートの貼付け作業も、それ自体非常に厄介な作業であった。
【０００４】
本発明は、上記のような問題点に鑑み、断熱材と防湿シートの施工を容易にすることができる、防湿断熱材及びそれを用いた防湿断熱構造を提供することを課題とする。
【課題を解決するための手段】
【０００５】
上記の課題は、断熱用発泡樹脂成形体が防湿シートに袋入り状態にされていることを特徴とする防湿断熱材（第１発明）によって解決される。
【０００６】
この防湿断熱材は、断熱用発泡樹脂成形体が防湿シートに袋入り状態にされているので、これを用いて施工を行えば、断熱材と防湿シートとを同時に設置でき、断熱と防湿の施工を能率良く行っていくことができる。しかも、断熱材が発泡樹脂成形体であることから、施工において、断熱材が、倒れ込んだり、下がってしまうことがなく、施工を容易に行うことができる。加えて、断熱材が発泡樹脂成形体からなっていることで、防湿シートが内部から発泡樹脂成形体でうまく支えられ、防湿断熱材を設置するだけで、防湿シートを適正状態に設置することができる。
【０００７】
また、上記の防湿断熱材において、発泡樹脂成形体に、該発泡樹脂成形体を複数に分割するための切込みが入れられ、切込みで分割した分割発泡樹脂成形体を袋入り状態のまま防湿シートを連れるようにして互いに偏心させることができるようになされているのもよい（第２発明）。
【０００８】
また、本発明は、上記の第１又第２発明の防湿断熱材における防湿シート内の発泡樹脂成形体が複数に分割され、分割発泡樹脂成形体が袋入り状態のまま防湿シートを連れるようにして互いに偏心して設置されていることを特徴とする防湿断熱構造（第３発明）を含む。
【０００９】
第２、第３発明では、複数の断熱材を設置領域との関係で互いに偏心させて設置しなければならないような場合において、一つの防湿断熱材を用い、内部の断熱用発泡樹脂成形体を切込みがある場合はそれを利用して分割し、切込みがない場合は他の方法で分割し、それぞれを互いに偏心するように設置すれば、分割された複数の断熱材は同じ防湿シートに袋入り状態にされているので、分割断熱用発泡樹脂成形体間がその防湿シートで防湿上連続したものになり、偏心状態に設置された断熱材間の防湿処理をきわめて容易なものにすることができる。特に、防湿シート内の断熱用発泡樹脂成形体に分割用のスリットが入れられている場合は、断熱用発泡樹脂成形体の分割を防湿シートに袋入り状態にされているにもかかわらず容易に行うことができる。
【００１０】
また、本発明は、内装用壁面材の下地となる桟材が所定の間隔をおいて平行に設置され、上記の第１又は第２発明の防湿断熱材が、該桟材間に設置されて、桟材間を防湿状態に断熱していることを特徴とする防湿断熱構造（第４発明）を含む。
【００１１】
この構造では、防湿断熱材を桟材間に設置していくだけで、断熱材と防湿シートとを同時に設置でき、断熱と防湿の施工を能率良く行っていくことができ、しかも、施工において、断熱材が発泡樹脂成形体であることにより、倒れ込んだり、下がってしまうことがなく、施工を容易に行うことができ、それでいてまた、断熱材が発泡樹脂成形体であることにより、桟材間を防湿シートで適正な防湿状態にすることができる。
【００１２】
また、本発明は、第１又第２発明の複数の防湿断熱材が、防湿シート部分を介在させて突き合わせ状態となるように設置されていることを特徴とする防湿断熱構造を含む。
【００１３】
この構造では、防湿断熱材を突き合わせ状態となるように設置すれば、断熱用発泡樹脂成形体間に、防湿断熱材の防湿シートが介在することとなって、断熱用発泡樹脂成形体間を施工容易に防湿上連続したものにすることができる。
【発明の効果】
【００１４】
本発明の防湿断熱材及びそれを用いた防湿断熱構造は、以上のとおりのものであるから、断熱材と防湿シートの施工を容易にすることができる。
【発明を実施するための最良の形態】
【００１５】
次に、本発明の実施最良形態を図面に基づいて説明する。
【００１６】
図１〜図４に示す実施形態は、鉄骨軸組構造を採用する住宅等の建物の柱部分の断熱と防湿に適用した場合のもので、図２に示す建物外壁部分の断面構造において、１は柱、２，２は外壁パネル、３は繊維系断熱材、４は防湿断熱材である。なお、５は石膏ボードなどからなる内装用壁面材である。
【００１７】
柱１は、屋内側に開くリップ付きの角形半中空鋼材からなる。
【００１８】
外壁パネル２は、溝形の鋼製パネルフレーム６を挟む屋外側に窯業系などの外壁面材７を備えると共に、パネルフレーム６を挟む屋内側に内装用壁面材５を取り付ける下地となる木などからなる縦桟８を備え、更に、外壁面材７の背面側には、繊維系の断熱材９がその周端部をパネルフレーム６の溝内に突出させるようにして備えられ、該繊維系断熱材９の屋内側にはアルミ蒸着シートなどからなる防湿シート１０が張られ、該防湿シート１０の周端部はパネルフレーム６と縦桟８との間に挟み込まれて、屋内の湿気が外壁パネル２の繊維系断熱材９の内部に進入しないようにされている。
【００１９】
防湿断熱材４は、図１に示すように、ポリスチレンフォームなどの断熱用発泡樹脂成形体１１を防湿シート１２に袋入り状態にしたものである。内部の断熱用発泡樹脂成形体１１は、帯板状をしており、柱１と対向することとなる面部には、柱１をしっくりと嵌合させる凹所１３が備えられている。
【００２０】
また、断熱用発泡樹脂成形体１１の左右の側面部１４，１４は、柱１側に向けて内向きに傾斜する斜面に形成されると共に、屋内側に対向する面部の左右には断熱用発泡樹脂成形体１１の長手方向に延びるスリット１５，１５が設けられている。
【００２１】
更に、断熱用発泡樹脂成形体１１の長手方向の予め決められた位置には、スリット状をした切込み１６が入れられ、断熱用発泡樹脂成形体１１を袋入り状態のまま防湿シート１２の内部で複数に分割することができるようになされており、該発泡樹脂成形体１１を包む防湿シート１２は、切込み１６で分割した分割発泡樹脂成形体を袋入り状態のまま防湿シート１２を連れるようにして互いに偏心させることができるようになされている。
【００２２】
上記の外壁パネル２，２は、現場での建方において、図３（イ）に示すように、柱１を挟む両側に各外壁パネル２，２のパネルフレーム６，６を隣接させるようにして設置される。そして、そのままでは、外壁パネル２間の柱１部分がヒートブリッジとなることから、柱１の内部に繊維系断熱材３が詰め込まれ、更に、図３（イ）（ロ）に示すように、屋内側から、柱１を挟む外壁パネル２，２の縦桟８，８間に防湿断熱材４が設置されている。
【００２３】
防湿断熱材４は、この設置状態において、柱１が断熱用発泡樹脂成形体１１の凹所１３内に防湿シート１２を介してしっくりと嵌合した状態となって、該防湿シート１２で、柱１内の繊維系断熱材３に屋内の湿気が入り込むのを阻止される。
【００２４】
また、断熱用発泡樹脂成形体１１の両側面部１４，１４が防湿シート１２を介して縦桟８，８の対向面部に防湿シート１２を介して押し合い密接嵌合状態となり、防湿シート１２が断熱用発泡樹脂成形体１１と縦桟８，８との間に挟み込まれて、縦桟８，８間にしっかりとした防湿状態が形成されている。断熱用発泡樹脂成形体１１の左右の傾斜した側面部１４，１４と、屋内側の面部の左右に長手方向に延びて備えられたスリット１５，１５は、材料精度上の誤差や現場施工精度上の誤差を吸収するのに役立てられると共に、縦桟８，８間への断熱用発泡樹脂成形体１１の設置を容易にするのにも役立てられる。
【００２５】
上記の構造では、断熱用発泡樹脂成形体１１を防湿シート１２に袋入り状態にした防湿断熱材４を用いて縦桟８，８間を断熱、防湿したものであるから、施工においては、この防湿断熱材４を設置すれば、断熱材１１と防湿シート１２とが同時に設置され、断熱と防湿の施工を能率良く行っていくことができる。しかも、断熱材１１は発泡樹脂成形体からなっているので、施工において倒れ込んだり、下がってしまうことがなく、施工を容易に行うことができる。加えて、防湿断熱材４を構成する断熱材１１が発泡樹脂成形体からなっていることで、防湿シート１２が内部から発泡樹脂成形体１１でうまく支えられ、防湿断熱材４を設置するだけで、防湿シート１２を適正状態に設置することができる。
【００２６】
また、防湿シート１２による縦桟８，８間の防湿は、発泡樹脂成形体１１を防湿シート１２に袋入り状態にした防湿断熱材４を縦桟８，８間に設置することで、発泡樹脂成形体１１と縦桟８，８との間の位置において完結されるから、図３（ハ）に示すように、縦桟８と横桟１７とが交差部分においても、横桟１７が防湿する上での妨げとなることがなく、防湿シート１２を容易に施工することができる。
【００２７】
図４（イ）は、柱１の上端部に備えられている切欠き部分１ａを上記の防湿断熱材４を用いて断熱、防湿した場合のもので、防湿断熱材４は、防湿シート１２内で上記の切込み１６を利用して複数に分割され、分割発泡樹脂成形体の一方１１ａが柱１の一般部に沿い、もう一方１１ｂが柱１の上端部の切欠き部分１ａに嵌め込まれて、袋入り状態のまま防湿シート１２を連れるようにして、互いに偏心して設置されている。このように、内部の発泡樹脂成形体１１を、袋入り状態のまま防湿シート１２内で分割し、偏心状態に設置することで、分割された断熱材１１ａ，１１ｂ間の防湿処理をきわめて容易なものにすることができ、実施形態の場合には、柱１の端部の気流止めの施工を容易にすることができる。
【００２８】
また、図４（ロ−１）（ロ−２）は、例えば、上記のような縦桟８，８間を、複数本の防湿断熱材４，４を、防湿シート１２，１２部分を介在させて端部突き合わせ状態となるように設置して防湿状態に断熱するようにした場合のもので、防湿断熱材４，４を端部突き合わせ状態に設置するだけで、発泡樹脂成形体１１，１１間を防湿上連続したものにすることができる。
【００２９】
以上に、本発明の実施形態を示したが、本発明はこれに限られるものではなく、発明思想を逸脱しない範囲で各種の変更が可能である。例えば、本発明は、外壁パネル２，２間の縦桟８，８間の断熱、防湿に限らず、各所の断熱、防湿に広く用いることができるものであることはいうまでもない。
【図面の簡単な説明】
【００３０】
【図１】実施形態の防湿断熱材を示すもので、図（イ）は発泡樹脂成形体と防湿シートを分離させた斜視図、図（ロ）は正面図、図（ハ）は断面平面図である。
【図２】実施形態の防湿断熱構造を示すもので、図（イ）は平面断面図、図（ロ）は分解平面断面図である。
【図３】図（イ）は防湿断熱材の取付け方法を示す平面断面図、図（ロ）は防湿断熱材を取り付けた状態の平面断面図、図（ハ）は縦桟と横桟とが交差する部分の正面図である。
【図４】図（イ）は柱上端部における防湿断熱材の取付け構造を示す一部断面側面図、図（ロ−１）及び図（ロ−２）はそれぞれ防湿断熱材を用いた他の防湿断熱構造を示す正面図である。
【符号の説明】
【００３１】
４…防湿断熱材
８…縦桟（桟材）
１１…断熱用発泡樹脂成形体
１１ａ，１１ｂ…分割発泡樹脂成形体
１２…防湿シート
１６…切込み
【図１】
2006017185.tif 000003
【図２】
2006017185.tif 000004
【図３】
2006017185.tif 000005
【図４】
2006017185.tif 000006